(57)【要約】【課題】筆記具の用い方がユーザごとに異なる場合も、筆記具の寿命を適正に判定してユーザに報知することが可能な情報端末装置およびプログラムを提供する。【解決手段】情報端末装置１は、画像を表示する液晶表示部３２と、液晶表示部３２に対するスタイラスペン２０によるタッチ入力を受け付けるタッチパッド３３と、制御部５０と、を備える。ここで、制御部５０は、タッチパッド３３に対するスタイラスペン２０の筆圧を取得し、タッチパッド３３におけるスタイラスペン２０による筆記距離と、筆圧とに基づいて、スタイラスペン２０の寿命を判定し、寿命の判定結果に基づく報知を行う。【選択図】図３
2018049412.tif 000002
【特許請求の範囲】
【請求項１】
画像を表示する表示部と、
前記表示部に対する筆記具による入力を受け付ける入力受付部と、
制御部と、を備え、
前記制御部は、
前記入力受付部に対する前記筆記具の筆圧を取得し、
前記入力受付部における前記筆記具による筆記距離と、前記筆圧とに基づいて、前記筆記具の寿命を判定し、
前記寿命の判定結果に基づく報知を行う、
ことを特徴とする情報端末装置。
【請求項２】
請求項１に記載の情報端末装置において、
前記制御部は、
前記筆記具により前記入力受付部が筆記されるごとに筆記距離を取得し、
取得した前記筆記距離を前記筆圧で補正した補正距離を前記筆記具の使用開始時から積算し、
積算した総補正距離と所定の閾値とを比較して、前記筆記具の寿命を判定して、前記報知を行う、
ことを特徴とする情報端末装置。
【請求項３】
請求項２に記載の情報端末装置において、
前記制御部は、前記筆圧が大きくなるに伴い大きくなる係数を前記筆記距離に乗じて前記補正距離を取得する、
ことを特徴とする情報端末装置。
【請求項４】
請求項２または３に記載の情報端末装置において、
前記制御部は、
前記筆記具による筆記動作の間に、継続的に前記筆圧を取得し、
取得した前記筆圧により前記筆記距離を補正して前記補正距離を求め、
求めた前記補正距離を積算して前記総補正距離を取得する、
ことを特徴とする情報端末装置。
【請求項５】
請求項２または３に記載の情報端末装置において、
前記制御部は、
前記筆記具を用いた実際の筆記動作が開始される前に、予め、前記入力受付部に対する試し書きを受け付けて、前記筆圧を取得し、
取得した前記筆圧を、その後の前記筆記具の筆記動作において、前記筆記距離の補正に用いて、前記補正距離を取得する、
ことを特徴とする情報端末装置。
【請求項６】
請求項５に記載の情報端末装置において、
前記制御部は、
前記入力受付部に対して入力を行うユーザを特定する入力を受け付け、
受け付けたユーザごとに前記筆圧を取得し、
取得したユーザごとの前記筆圧を、その後の各ユーザによる前記筆記具の筆記動作において、前記筆記距離の補正に用いて、前記補正距離を取得する、
ことを特徴とする情報端末装置。
【請求項７】
請求項１ないし６の何れか一項に記載の情報端末装置において、
前記筆記具は、芯が交換可能となっており、
前記制御部は、前記報知として、前記芯の交換要否に関する報知を行う、
ことを特徴とする情報端末装置。
【請求項８】
画像を表示する表示部と、前記表示部に対する筆記具による入力を受け付ける入力受付部と、を備える情報端末装置の制御部に、
前記入力受付部に対する前記筆記具の筆圧を取得し、
前記入力受付部における前記筆記具による筆記距離と、前記筆圧とに基づいて、前記筆記具の寿命を判定し、
前記寿命の判定結果に基づく報知を行う、
機能を付与するプログラム。
【発明の詳細な説明】
【技術分野】
【０００１】
本発明は、スタイラスペン等の筆記具を用いて手書き入力が可能な情報端末装置および当該情報端末装置に用いるプログラムに関する。
【背景技術】
【０００２】
従来、タブレット端末等の情報端末装置では、スタイラスペン（タッチペン）等の筆記具を用いて、タッチパネルに手書き入力を行うことができる。このような情報端末装置では、筆記具の使用に伴い、筆記具のペン先が摩耗する。ペン先の摩耗が進むと、筆記具の書き心地が劣化する。また、ペン先の摩耗が進むと、筆記具とタッチパネルとの距離が短くなる。筆記具の入力が電磁誘導方式や静電容量方式のタッチパネルにより受け付けられる構成の場合、このように筆記具とタッチパネルとの距離が短くなると、入力位置の検出精度が低下する。これにより、細かい箇所への入力が困難となる。
【０００３】
以下の特許文献１には、筆記具の筆記距離に基づいて、筆記具の寿命を予測する構成が記載されている。この構成では、筆記具の寿命が近いことが表示されるため、ユーザは、筆記具の交換時期を知ることができる。
【先行技術文献】
【特許文献】
【０００４】
【特許文献１】特開平８−１３７７２４号公報
【発明の概要】
【発明が解決しようとする課題】
【０００５】
筆記具の寿命が近づくまでに筆記具により筆記される距離は、かなり長い。他方、筆記具の用い方は、ユーザによって大きくばらつく。このため、ペン先の摩耗が寿命と推定される摩耗量に到達するまでの筆記距離には、筆記具の用い方によって大きな誤差が生じる。特に、情報端末装置を子供の学習用に用いる場合、筆記に大きな個人差があるため、ユーザごとに、寿命までの筆記距離に顕著な差が生じる。
【０００６】
かかる課題に鑑み、本発明は、筆記具の用い方がユーザごとに異なる場合も、筆記具の寿命を適正に判定してユーザに報知することが可能な情報端末装置およびプログラムを提供することを目的とする。
【課題を解決するための手段】
【０００７】
本発明の第１の態様は、情報端末装置に関する。本態様に係る情報端末装置は、画像を表示する表示部と、前記表示部に対する筆記具による入力を受け付ける入力受付部と、制御部と、を備える。前記制御部は、前記入力受付部に対する前記筆記具の筆圧を取得し、前記入力受付部における前記筆記具による筆記距離と、前記筆圧とに基づいて、前記筆記具の寿命を判定し、前記寿命の判定結果に基づく報知を行う。
【０００８】
本態様に係る情報端末装置によれば、筆記距離に筆圧が加味されて筆記具の寿命が判定されるため、筆記具の用い方がユーザごとに異なり、これにより筆圧が異なる場合も、筆記具の寿命を適正に判定してユーザに報知することができる。
【０００９】
本発明の第２の態様は、画像を表示する表示部と、前記表示部に対する筆記具による入力を受け付ける入力受付部と、を備える情報端末装置の制御部に、前記入力受付部に対する前記筆記具の筆圧を取得し、前記入力受付部における前記筆記具による筆記距離と、前記筆圧とに基づいて、前記筆記具の寿命を判定し、前記寿命の判定結果に基づく報知を行う、機能を付与するプログラムである。
【００１０】
本態様に係るプログラムが情報端末装置に搭載されることにより、上記第１の態様と同様の効果が奏され得る。
【発明の効果】
【００１１】
以上のとおり、本発明によれば、筆記具の用い方がユーザごとに異なる場合も、筆記具の寿命を適正に判定してユーザに報知することが可能な情報端末装置およびプログラムを提供することができる。
【００１２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１３】
【図１】図１（ａ）は、実施形態１に係る、情報端末装置の正面図であり、図１（ｂ）は、実施形態１に係る、情報端末装置の断面を示す図である。
【図２】図２（ａ）は、実施形態１に係る、芯が装着される前のスタイラスペン（筆記具）の構成を模式的に示す図である。図２（ｂ）は、実施形態１に係る、芯が装着された後のスタイラスペン（筆記具）の構成を模式的に示す図である。
【図３】図３（ａ）は、実施形態１に係る、情報端末装置の構成を示すブロック図である。図３（ｂ）は、実施形態１に係る、スタイラスペン（筆記具）の構成を示すブロック図である。
【図４】図４（ａ）および（ｂ）は、実施形態１に係る、ユーザが、手書きアプリケーションを起動して、スタイラスペンでタッチパネルに手書き入力を行う様子を示す図である。
【図５】図５（ａ）は、実施形態１に係る、筆記距離の補正に用いる係数の設定処理を示すフローチャートである。図５（ｂ）は、実施形態１の変更例に係る、筆記距離の補正に用いる係数の設定処理を示すフローチャートである。
【図６】図６（ａ）は、実施形態１に係る、寿命判定処理を示すフローチャートである。図６（ｂ）は、実施形態１に係る、総補正距離の積算値の管理テーブルの構成を示す図である。
【図７】図７（ａ）、（ｂ）は、それぞれ、実施形態１に係るペン芯が寿命に到達した場合の表示形態を示す図である。
【図８】図８（ａ）は、実施形態２に係る、筆記距離の補正に用いる係数の設定処理を示すフローチャートである。図８（ｂ）は、実施形態２に係る、筆記距離の補正に用いる係数を設定するための受付画面を示す図である。
【図９】図９は、実施形態２に係る、寿命判定処理を示すフローチャートである。
【図１０】図１０（ａ）は、実施形態２の変更例１に係る、ユーザごとに係数を管理する管理テーブルの構成を示す図である。図１０（ｂ）は、実施形態２の変更例１に係る、情報端末装置のユーザを設定するための受付画面を示す図である。
【図１１】図１１（ａ）は、実施形態２の変更例２に係る、寿命の判定に用いる閾値の設定処理を示すフローチャートである。図１１（ｂ）は、実施形態２の変更例２に係る、平均筆圧と閾値とを対応付けた閾値設定テーブルの構成を示す図である。
【図１２】図１２は、実施形態２の変更例２に係る、寿命判定処理を示すフローチャートである。
【発明を実施するための形態】
【００１４】
本実施形態は、情報端末装置の一種であるタブレット端末に本発明を適用したものである。本実施形態の情報端末装置は、教育用として利用されることが想定されている。なお、本発明は、タブレット端末に限らず、携帯電話機、携帯用ゲーム機、ノートパソコン等、他の種類の情報端末装置に適用されても良い。
【００１５】
＜実施形態１＞
図１（ａ）は、情報端末装置１の正面図であり、図１（ｂ）は、情報端末装置１の断面を示す図である。図１（ａ）、（ｂ）には、便宜上、互いに直交するＸＹＺ軸が示されている。Ｘ軸方向は、後述する入力受付面３１ａの短辺が延びる方向であり、Ｙ軸方向は、入力受付面３１ａの長辺が延びる方向であり、Ｚ軸方向は、入力受付面３１ａに垂直な方向である。
【００１６】
図１（ａ）、（ｂ）に示すように、情報端末装置１は、筐体１０と、スタイラスペン２０と、タッチパネル３０と、カメラ部４０と、を備える。筐体１０には、スタイラスペン２０を収容するための収容部１１が設けられている。スタイラスペン２０は、手で持たれる丸棒状のボディ２１と、ボディ２１に対して着脱可能な芯２２とを含む。
【００１７】
タッチパネル３０は、カバー３１と、液晶表示部３２と、タッチパッド３３と、がＺ軸方向に重ねられた構成となっている。
【００１８】
カバー３１は、透明であり、筐体１０を覆っている。カバー３１の表側面（Ｚ軸正側の面）は、平坦な面である。液晶表示部３２、すなわち、タッチパッド３３に対する入力は、カバー３１の入力受付面３１ａを介して行われる。入力受付面３１ａは、カバー３１の表側面の中央部分に位置する矩形形状の面であり、タッチパッド３３における、入力を受付可能な領域に対応する。入力受付面３１ａは、縦横の長さが異なるように構成されている。
【００１９】
液晶表示部３２は、液晶パネルと、液晶パネルを照明するＬＥＤバックライトとを含み、各種の画像を表示する。なお、情報端末装置１には、液晶表示部３２以外の表示部、たとえば、有機ＥＬタイプの表示部が用いられてもよい。
【００２０】
タッチパッド３３は、透明であり、液晶表示部３２の表示面上に配され、入力受付面３１ａを介してスタイラスペン２０による液晶表示部３２に対する入力（以下、「タッチ入力」という）を受け付ける。タッチパッド３３は、電磁誘導方式のデジタイザである。タッチパッド３３には、Ｘ軸およびＹ軸の各座標位置にコイルが配置されている。これらコイルにより、スタイラスペン２０側のコイルとの間で電磁誘導により励起された電流を検出することにより、スタイラスペン２０の入力座標を検出する。デジタイザの構成および検出原理は、既に周知であるので、ここでは詳細な説明を割愛する。
【００２１】
カメラ部４０は、筐体１０におけるタッチパネル３０の周縁位置に配置され、タッチパネル３０の前方の被写体を撮影する。
【００２２】
図２（ａ）、（ｂ）は、スタイラスペン２０の構成を示す図である。
【００２３】
上記のように、スタイラスペン２０は、ボディ２１と、芯２２からなっている。芯２２は、所定長さの円柱形状を有し、先端が半球状に丸められている。ボディ２１の先端には、芯２２を嵌入可能な円柱状の穴２１ａが形成されている。穴２１ａの深さは、芯２２の長さよりも浅い。穴２１ａに芯２２を嵌入することにより、先端がボディ２１から突出した状態で、芯２２がボディ２１に装着される。これにより、スタイラスペン２０が使用可能となる。
【００２４】
図２（ａ）に示すように、芯２２は、複数本がセットとなっている。ボディ２１に装着された芯２２の先端が筆記により摩耗すると、穴２１ａから芯２２が引き抜かれて、新しい芯２２に交換される。
【００２５】
図３（ａ）は、情報端末装置１の構成を示すブロック図である。
【００２６】
情報端末装置１は、図１（ａ）、（ｂ）に示した液晶表示部３２、タッチパッド３３、スタイラスペン２０、カメラ部４０に加え、制御部５０および記憶部６０を備える。制御部５０および記憶部６０は、図１（ａ）に示す筐体１０内に収容されている。
【００２７】
制御部５０は、ＣＰＵ、タイマー等を含む。制御部５０は、情報端末装置１の各部から信号を受信し、記憶部６０に記憶されたプログラムに従って、情報端末装置１の各部を制御する。
【００２８】
記憶部６０は、ＲＯＭ、ＲＡＭ、フラッシュメモリ等を含む。記憶部６０は、寿命判定プログラム６１と、補正係数テーブル６２とを記憶している。後述のように、寿命判定プログラム６１は、補正係数テーブル６２を用いて、芯２２の寿命判定処理を実行する。記憶部６０は、寿命判定プログラム６１および補正係数テーブル６２の他、手書きアプリケーション等の各種アプリケーションのプログラムを記憶している。
【００２９】
補正係数テーブル６２は、タッチパッド３３に対するスタイラスペン２０の筆記距離を筆圧に応じて補正するための係数を、筆圧に対応付けて保持している。補正係数テーブル６２の係数は、標準的な筆圧（標準筆圧）に対応付けられた係数が１に設定されている。また、標準筆圧より大きい筆圧に対応付けられた係数は、１より大きく設定され、標準筆圧より小さい筆圧に対応付けられた係数は、１より小さく設定されている。筆圧が標準筆圧から大きくなるほど係数が１から増加の方向に離れ、筆圧が標準筆圧から小さくなるほど係数が１から減少の方向に離れる。補正係数テーブル６２に規定された筆圧は、たとえば、標準筆圧を含んで１０２４段階に区分され、各段階の筆圧に対して係数が割り当てられている。１０２４段階に区分される筆圧の範囲は、スタイラスペン２０による筆記において、実際に起こり得ると想定される筆圧の範囲に設定される。
【００３０】
図３（ｂ）は、スタイラスペン２０の構成を示すブロック図である。
【００３１】
スタイラスペン２０は、制御部２０１と、記憶部２０２と、筆圧検出部２０３と、コイル部２０４と、電源部２０５と、を備える。
【００３２】
制御部２０１は、記憶部２０２に記憶されたプログラムに従って各部を制御する。記憶部２０２は、制御部２０１が実行するプログラムとともに、スタイラスペン２０の識別情報（ペンＩＤ）を記憶している。筆圧検出部２０３は、筆記時に芯２２に付与される筆圧を検出する。たとえば、筆圧検出部２０３は、図２（ａ）の穴２１ａの底部に設置された圧電素子等の圧力センサを備える。
【００３３】
コイル部２０４は、上記のように、情報端末装置１のタッチパッド３３上の各座標位置に配置されたコイルに対し、電磁誘導により電流を励起するためのコイルを備える。電源部２０５は、コンデンサ等の蓄電手段を備え、筆記動作の間に、タッチパッド３３側のコイルによりコイル部２０４のコイルに励起された電力を蓄積する。電源部２０５は、蓄積した電力を、制御部２０１、記憶部２０２および筆圧検出部２０３に供給する。
【００３４】
なお、コイル部２０４は、情報端末装置１との間でデータの送受信を行うための通信部としても機能する。すなわち、コイル部２０４のコイルとタッチパッド３３のコイルとの間で、電磁誘導により、信号の送受信が行われる。信号の送受信は、たとえば、スタイラスペン２０による筆記動作の際に、一方のコイルから他方のコイルに励起される電流に、信号波形を重畳することにより行われる。
【００３５】
筆記動作が開始されると、制御部２０１は、一定周期で、記憶部２０２に記憶された識別情報（ペンＩＤ）を、コイル部２０４を介して、情報端末装置１に送信する。送信された識別情報（ペンＩＤ）は、タッチパッド３３のコイルを介して、情報端末装置１側の制御部５０により取得される。また、筆記動作の間、制御部２０１は、筆圧検出部２０３から随時入力される検出信号（筆圧情報）を所定のサンプリング期間でサンプリングし、サンプリング値を、随時、コイル部２０４を介して、情報端末装置１に送信する。送信されたサンプリング値（筆圧情報）は、タッチパッド３３のコイルを介して、情報端末装置１側の制御部５０により取得される。
【００３６】
図４（ａ）、（ｂ）は、ユーザが、手書きアプリケーションを起動して、スタイラスペン２０でタッチパネル３０に手書き入力を行う様子を示す図である。図４（ａ）は、標準的な筆圧で筆記が行われたときの様子を示し、図４（ｂ）は、高い筆圧で筆記が行われた筆記が行われたときの様子を示す。
【００３７】
手書きアプリケーションが起動されるとタッチパネル３０（液晶表示部３２）に手書き入力画面Ｓが表示される。手書き入力画面Ｓは、手書き入力領域Ｓ１を含む。ユーザは、カバー３１表面の手書き入力領域Ｓ１内にスタイラスペン２０で手書き入力を行う。
【００３８】
たとえば、図４（ａ）のように、ユーザが、右手にスタイラスペン２０を持ち、そのスタイラスペン２０をタッチパネル３０に近づけると、スタイラスペン２０の座標位置が検出される。その後、ユーザが、スタイラスペン２０の芯２２を手書き入力領域Ｓ１内でタッチさせたまま文字や絵の形に移動させると、芯２２先端の軌跡に沿って線が表示される。
【００３９】
ここで、芯２２の軌跡に沿って表示される線の太さは、筆圧に応じた太さに調整される。たとえば、図４（ａ）に示すように、標準的な筆圧で筆記が行われた場合は、中程度の太さで線が表示される。また、図４（ｂ）に示すように、高い筆圧で筆記が行われた場合は、図４（ａ）の場合よりも太い線が表示される。
【００４０】
ところで、スタイラスペン２０に装着された芯２２は、筆記の際に、カバー３１との摩擦によって摩耗する。ここで、カバー３１表面の滑りを押さえて、筆記感を向上させることができる。しかし、こうすると、筆記の際の芯２２の摩耗量が増加する。
【００４１】
こうして、芯２２の摩耗が進むと、芯２２がカバー３１表面を滑りにくくなるため、スタイラスペン２０の書き心地が劣化する。また、芯２２の摩耗が進むと、スタイラスペン２０とタッチパネル３０との距離が、設計時に想定された距離より短くなる。このようにスタイラスペン２０とタッチパネル３０との距離が短くなると、入力位置の検出精度が低下する。これにより、細かい箇所への入力が困難となる。
【００４２】
このため、芯２２の摩耗量が所定量に到達した場合は、芯２２が寿命に到達したとして、芯２２の交換をユーザに促す報知を行うことが好ましい。たとえば、芯２２を用いた筆記距離が所定の閾値に到達した場合に、芯２２が寿命に到達したと判定することができる。しかし、この判定では、筆圧により芯２２の摩耗量が異なるため、標準的な筆圧に基づいて閾値を設定すると、芯２２の寿命を適正に判定できないとの問題が生じる。特に、情報端末装置１を子供の学習用に用いる場合、筆記に大きな個人差があるため、ユーザごとに、寿命までの筆記距離に顕著な差が生じる。
【００４３】
そこで、実施形態１では、実際の筆記距離を筆圧に応じて補正し、補正後の筆記距離を閾値と比較して、芯２２が寿命に到達したか否かを判定している。
【００４４】
図５（ａ）は、筆記距離の補正に用いる係数の設定処理を示すフローチャートである。図５（ａ）の処理フローは、入力受付面３１ａに対する筆記がなされている間に繰り返し実行される。
【００４５】
筆記動作が開始すると、制御部５０は、前回の係数更新から一定時間（たとえば、０．１秒程度）が経過したか否かを判定する（Ｓ１０１）。情報端末装置１の起動時には、ステップＳ１０１において、最初のタッチ入力から一定時間が経過したか否かが判定される。
【００４６】
前回の係数更新から一定時間が経過すると（Ｓ１０１：ＹＥＳ）、制御部５０は、スタイラスペン２０の筆圧検出部２０３により取得され、スタイラスペン２０から受信した筆圧（筆圧情報）を参照する（Ｓ１０２）。ここで、制御部５０は、一定時間が経過したタイミングで受信した筆圧を参照してもよく、あるいは、一定時間が経過する間に受信した筆圧の平均値を参照してもよい。
【００４７】
そして、制御部５０は、参照した筆圧に対応する係数を補正係数テーブル６２から取得し、取得した係数を筆記距離の補正に用いる係数として、管理テーブルに設定する（Ｓ１０３）。管理テーブルは、記憶部６０に保持されている。
【００４８】
なお、図５（ａ）では、一定時間が経過するごとに係数が更新されたが、図５（ｂ）に示すように、一定距離が筆記されるごとに係数が更新されてもよい。図５（ｂ）のフローチャートでは、図５（ａ）のステップＳ１０１がステップＳ１１１に変更されている。ステップＳ１１１では、前回の係数更新時から筆記距離が一定距離（たとえば１ｍｍ程度）に到達したか否かが判定される。情報端末装置１の起動時には、ステップＳ１１１において、最初のタッチ入力から一定距離が筆記されたか否かが判定される。その後の処理（ステップＳ１０２、Ｓ１０３）は、図５（ａ）の場合と同様である。
【００４９】
図６（ａ）は、寿命判定処理を示すフローチャートである。図６（ａ）の処理フローは、入力受付面３１ａに対する筆記がなされている間に繰り返し実行される。
【００５０】
筆記動作が開始すると、制御部５０は、図５（ａ）の処理により係数が更新されたか否かを判定する（Ｓ２０１）。係数が更新されると（Ｓ２０１：ＹＥＳ）、制御部５０は、前回の係数更新時から今回の係数更新時までに筆記された距離ΔＤ０を取得する（Ｓ２０２）。ここで、制御部５０は、前回の係数更新時から今回の係数更新時までに筆記された軌跡（座標データ群）を、随時、記憶部６０に記憶させ、この軌跡（座標データ群）に基づいて、距離ΔＤ０を取得する。なお、情報端末装置１の起動時には、最初のタッチ入力から係数更新時までに筆記された距離が距離ΔＤ０として取得される。
【００５１】
次に、制御部５０は、ステップＳ２０２で取得した距離ΔＤ０に、図５（ａ）の処理により更新された係数を乗じて、補正距離ΔＤ１を算出する（Ｓ２０３）。上記のように、筆圧が標準筆圧より小さい場合、係数は１より小さくなる。したがって、この場合、補正距離ΔＤ１は距離ΔＤ０よりも小さい。また、筆圧が標準筆圧より大きい場合、係数は１より大きくなる。したがって、この場合、補正距離ΔＤ１は距離ΔＤ０よりも大きい。
【００５２】
補正係数テーブル６２（図１（ａ）参照）に保持された各係数は、各係数に対応する筆圧で同一の距離が筆記された場合に芯２２に生じる摩耗量を、標準的な筆圧の場合の摩耗量を１として、比率で表したものである。したがって、筆記動作中の各タイミングで取得された筆圧で距離ΔＤ０を筆記したときの芯２２の摩耗量と、標準的な筆圧で補正距離ΔＤ１を筆記した場合の芯２２の摩耗量とが、略等しくなる。
【００５３】
このように、補正距離ΔＤ１は、筆記動作中の各タイミングで取得された筆圧で距離ΔＤ０を筆記したときの芯２２の摩耗量と同一の摩耗量が、標準的な筆圧で筆記した場合に、如何なる筆記距離で生じるかを、上記係数を乗じて換算したものである。
【００５４】
次に、制御部５０は、算出した補正距離ΔＤ１を、スタイラスペン２０（芯２２）の使用開始時から積算した総補正距離Ｄ１に加算して、総補正距離Ｄ１を更新する（Ｓ２０４）。
【００５５】
図６（ｂ）に示すように、総補正距離Ｄ１は、ペンＩＤごとに、記憶部６０に記憶された管理テーブルで管理されている。図５（ａ）のステップＳ１０２において、制御部５０は、筆圧情報とともに、現在使用中のスタイラスペン２０の識別情報（ペンＩＤ）を、スタイラスペン２０から受信する。制御部５０は、受信した識別情報（ペンＩＤ）に対応する総補正距離Ｄ１を、ステップＳ２０４において更新する。
【００５６】
次に、制御部５０は、更新した総補正距離Ｄ１が閾値Ｄｔｈを超えたか否かを判定する（Ｓ２０５）。ここで、閾値Ｄｔｈは、標準的な筆圧で全ての筆記が行われた場合に、芯２２が寿命に到達する総筆記距離に設定されている。すなわち、閾値Ｄｔｈは、標準的な筆圧を基準として、芯２２が寿命に到達する総筆記距離を表したものである。
【００５７】
更新した総補正距離Ｄ１が閾値Ｄｔｈを超えていない場合（Ｓ２０５：ＮＯ）、制御部５０は、今回の処理を終了し、処理をステップＳ２０１に戻して、次の処理を実行する。更新した総補正距離Ｄ１が閾値Ｄｔｈを超えていると（Ｓ２０５：ＹＥＳ）、制御部５０は、芯２２が寿命に達したとして、芯２２の交換を促す報知を行う（Ｓ２０６）。
【００５８】
図７（ａ）は、芯２２が寿命に到達した場合の表示形態を示す図である。
【００５９】
図６（ａ）のステップＳ２０６において、図７（ａ）に示す画面が液晶表示部３２に割り込み表示される。画面には、芯２２の交換を促す文が記載されたテキスト領域３０１と、２つのキー３０２、３０３が含まれている。キー３０２は、芯２２の交換を行う場合に操作されるキーであり、キー３０３は、芯２２の交換をスキップする場合に操作されるキーである。
【００６０】
芯２２の交換を行う場合、ユーザは、キー３０２をタッチする。これにより、芯２２の交換方法を説明する文および画像と、芯２２の交換が完了した場合に操作される完了キーが表示される。ユーザは、表示された交換方法を参照して、スタイラスペン２０に対して芯２２の交換を行う。その後、ユーザは、完了ボタンにタッチする。これにより、画面が、割り込み前の画面に復帰する。また、完了ボタンのタッチに応じて、図６（ｂ）の管理テーブルにおいて、芯２２の交換が促されたスタイラスペン２０に対応するペンＩＤの総補正距離Ｄ１が、０にリセットされる。
【００６１】
芯２２の交換を行わない場合、ユーザは、キー３０３をタッチする。これにより、画面が、割り込み前の画面に復帰する。この場合、図７（ｂ）に示すように、芯交換の文字が表記されたキー３０４が、復帰後の画面において、操作に支障のない位置に表示される。ユーザは、キー３０４により、芯２２の交換が必要であることを把握できる。ユーザがキー３０４にタッチすると、図７（ａ）のキー３０２がタッチされた場合と同様の画面が表示される。これにより、ユーザは、円滑に、芯２２の交換を行うことができる。
【００６２】
なお、図７（ａ）、（ｂ）の例では、図６（ａ）のステップＳ２０６における報知が、液晶表示部３２における表示により行われたが、この表示とともに、または、この表示に代えて、音声やランプの点灯等の他の報知方法によって、ステップＳ２０６の報知が行われてもよい。
【００６３】
＜実施形態１の効果＞
以上、実施形態１によれば、以下の効果が奏される。
【００６４】
筆記距離に筆圧が加味されてスタイラスペン２０（筆記具）の寿命が判定されるため、スタイラスペン２０の用い方がユーザごとに異なり、これにより筆圧が異なる場合も、スタイラスペン２０の寿命を適正に判定してユーザに報知することができる。これにより、ユーザは、適切なタイミングで、スタイラスペン２０の芯２２を交換できるようになる。
【００６５】
また、制御部５０は、スタイラスペン２０によりタッチパッド３３に対する筆記が行われるごとに距離ΔＤ０を取得し、取得した距離ΔＤ０を上記のように筆圧で補正した補正距離ΔＤ１を芯２２の使用開始時から積算し、積算した総補正距離Ｄ１と所定の閾値Ｄｔｈとを比較して、スタイラスペン２０の寿命を判定して、報知を行う。ここで、制御部５０は、筆圧が大きくなるに伴い大きくなる係数を距離ΔＤ０に乗じて補正距離ΔＤ１を取得する。これにより、標準的な筆圧で筆記がなされた場合に芯２２が寿命となる１つの距離を、閾値Ｄｔｈとして用いることができる。
【００６６】
制御部５０は、スタイラスペン２０による筆記動作の間に、継続的に筆圧を取得し、取得した筆圧により、随時、距離ΔＤ０を補正して補正距離ΔＤ１を求め、求めた補正距離ΔＤ１を積算して総補正距離Ｄ１を取得する。このように、実際の筆記動作の際にリアルタイムで筆圧を取得して補正距離ΔＤ１を求めることにより、体調や気分の変化等によってユーザの筆圧が変化したような場合にも、その時々の筆圧に応じて距離ΔＤ０を補正して、補正距離ΔＤ１を求めることができる。よって、芯２２の寿命を適切に判定できる。
【００６７】
また、芯２２が寿命に達したと判定すると、制御部５０は、図７（ａ）に示す画面を液晶表示部３２に割り込み表示させる。これにより、ユーザは、芯２２が寿命であることを把握することができ、芯２２の交換を適切に進めることができる。また、図７（ａ）の画面において、ユーザがキー３０３にタッチした場合も、図７（ｂ）に示すように、復帰後の画面において、キー３０４が表示される。これにより、ユーザは、スキップ操作後に随時、キー３０４にタッチして、芯２２の交換を進めることができる。
【００６８】
なお、図７（ｂ）の画面が表示された後も、制御部５０は、図５（ａ）の処理と図６（ａ）の処理を実行して、係数の更新と、総補正距離Ｄ１の更新、および、スタイラスペン２０の寿命判定を行う。この場合、図６（ａ）のステップＳ２０６では、図７（ｂ）に示すキー３０４を画面に表示させる処理が行われる。
【００６９】
すなわち、図７（ａ）に示す画面は、１つのスタイラスペン２０に対して図６（ａ）のステップＳ２０５の判定が最初にＹＥＳとなった場合に表示され、この画面でキー３０３がタッチされた場合は、その後、キー３０４がタッチされて芯２２の交換がなされるまでの間、図７（ｂ）に示す画面が表示される。これに代えて、情報端末装置１が起動された後、最初に図６（ａ）のステップＳ２０５の判定がＹＥＳとなった場合に、図７（ａ）の画面が表示されてもよい。こうすると、図７（ａ）の画面でキー３０３が操作された場合は、次に、情報端末装置１が立ち上げられて筆記動作が開始されたタイミングで、再び、図７（ａ）の画面が表示される。これにより、より効果的に、ユーザに、芯２２の交換を促すことができる。
【００７０】
＜実施形態２＞
実施形態１では、筆記動作の際にリアルタイムで筆圧が取得されたが、実施形態２では、実際の筆記動作が開始される前に、予め、タッチパネル３０に対する試し書きを受け付けて、筆圧を取得し、取得した筆圧をその後の筆記動作に一律に適用して、補正距離ΔＤ１が算出される。
【００７１】
図８（ａ）は、実施形態２に係る、筆記距離の補正に用いる係数の設定処理を示すフローチャートである。図８（ｂ）は、実施形態２に係る、筆記距離の補正に用いる係数を設定するための受付画面を示す図である。
【００７２】
まず、制御部５０は、実際の筆記動作が開始される前に、図８（ｂ）に示す画面を液晶表示部３２に表示させて、ユーザに、試し書きを要求する（Ｓ１２１）。これに応じてユーザが試し書きを行うと（Ｓ１２２：ＹＥＳ）、制御部５０は、試し書きの期間においてスタイラスペン２０から受信した筆圧（筆圧情報）に基づいて、試し書き時の平均筆圧を算出する（Ｓ１２３）。そして、制御部５０は、平均筆圧に対応する係数を補正係数テーブル６２から取得し、取得した係数を、距離ΔＤ０の補正に用いる係数に設定する（Ｓ１２４）。
【００７３】
図８（ａ）に示す処理は、たとえば、情報端末装置１が起動されるごとに実行される。この場合、起動の際に設定された係数は、その起動時から情報端末装置１の電源がＯＦＦされるまでの間、Δ距離Ｄ０の補正に用いられる。
【００７４】
図９は、実施形態２に係る、寿命判定処理を示すフローチャートである。図９の処理フローは、入力受付面３１ａに対する筆記がなされている間に繰り返し実行される。なお、図９のフローチャートは、図６（ａ）のフローチャートのステップＳ２０１がステップＳ２１１に変更されている。その他のステップは、図６（ａ）と同様である。
【００７５】
ステップＳ２１１において、制御部５０は、前回、図９のルーチンを実行したタイミング、すなわち、前回のルーチンでステップＳ２１１の判定がＹＥＳとなったタイミングから、一定時間（たとえば、０．１秒程度）が経過したか否かを判定する。前回のルーチンから一定時間が経過すると（Ｓ２１１：ＹＥＳ）、制御部５０は、この一定時間の間にスタイラスペン２０で筆記された距離ΔＤ０を取得する（Ｓ２０２）。そして、制御部５０は、取得した距離ΔＤ０に、図８（ａ）のステップＳ１２４で設定した係数を乗じて補正距離ΔＤ１を算出する（Ｓ２０３）。その後、制御部５０は、上記実施形態１と同様、ステップＳ２０４〜Ｓ２０６の処理を実行する。
【００７６】
＜実施形態２の効果＞
実施形態２においても、実施形態１と同様、筆記距離に筆圧が加味されてスタイラスペン２０（筆記具）の寿命が判定されるため、スタイラスペン２０の用い方がユーザごとに異なり、これにより筆圧が異なる場合も、スタイラスペン２０の寿命を適正に判定してユーザに報知することができる。これにより、ユーザは、適切なタイミングで、スタイラスペン２０の芯２２を交換できるようになる。
【００７７】
実施形態２では、筆記動作の際にリアルタイムで筆圧により係数を更新する処理が不要であるため、制御部５０の処理負荷を軽減できる。他方、実施形態２では、最初の試し書きで取得された係数がその後の距離ΔＤ０の補正に一律用いられるため、実施形態１に比べて、総補正距離Ｄ１の精度がやや低下すると想定され得る。
【００７８】
＜変更例１＞
上記実施形態２では、情報端末装置１が起動されるごとに試し書きを要求して、係数を更新するようにしたが、試し書きに基づく係数の更新タイミングは、これに限るものではない。たとえば、情報端末装置１が初めて使用されるタイミングで、試し書きを要求し、筆記距離の補正のための係数を設定するようにしてもよい。この場合、たとえば、使用開始時に設定された係数を、その後、同一のスタイラスペン２０を用いた全ての筆記動作に適用して、補正距離ΔＤ１を算出してもよい。あるいは、ユーザからの要求操作に応じて、任意のタイミングで、試し書きに基づく係数の更新を行えるようにしてもよい。
【００７９】
また、複数のユーザが情報端末装置１を共用する場合、ユーザごとに、筆圧を取得して、筆記距離の補正のための係数を設定してもよい。この場合、たとえば、情報端末装置１にユーザを登録するタイミングで、図８（ａ）の処理が実行され、登録対象ユーザに対する係数が設定される。この場合、たとえば、図１０（ａ）に示すように、ユーザごとに、図８（ａ）のステップＳ１２３、１２４で取得された平均筆圧と係数が、記憶部６０内の管理テーブルに保持される。
【００８０】
この構成では、情報端末装置１の起動時に、たとえば、図１０（ｂ）に示す画面が表示されて、情報端末装置１を使用するユーザの選択が受け付けられる。この画面を介してユーザが設定されると、設定されたユーザに対応する係数が、図１０（ａ）の管理テーブルから読み出される。その後、当該ユーザが情報端末装置１を使用する間、読み出された係数を用いて、図９の処理が実行されて、補正距離ΔＤ１の算出、総補正距離Ｄ１の算出および芯２２の寿命の判定、報知が行われる。
【００８１】
この変更例によれば、情報端末装置１のユーザが複数存在する場合も、ユーザごとの筆圧が筆記距離に加味されてスタイラスペン２０（筆記具）の寿命が判定される。このため、スタイラスペン２０の用い方がユーザごとに異なり、これにより筆圧が異なる場合も、スタイラスペン２０の寿命を適正に判定してユーザに報知することができる。
【００８２】
＜変更例２＞
上記実施形態２では、筆圧に応じて筆記距離を補正したが、筆圧に応じて閾値Ｄｔｈを補正するようにしてもよい。
【００８３】
この場合、たとえば、情報端末装置１が最初に使用されるタイミングにおいて、制御部５０は、図１１（ａ）の処理を実行し、情報端末装置１を使用するユーザの筆圧に応じて、閾値Ｄｔｈを設定する。この場合、情報端末装置１は、１人のユーザのみによって使用されることが想定される。
【００８４】
この変更例では、図３（ａ）に示す補正係数テーブル６２が、図１１（ｂ）に示す閾値補正テーブル６２ａに置き換えられる。閾値補正テーブル６２ａには、平均筆圧と閾値Ｄｔｈとが対応付けて保持されている。それぞれの閾値Ｄｔｈは、対応付けられた平均筆圧で筆記が行われた場合に、芯２２が寿命に到達する距離となっている。平均筆圧は、たとえば、１０２４段階に区分されている。１０２４段階に区分される平均筆圧の範囲は、スタイラスペン２０による筆記において、実際に起こり得ると想定される筆圧の範囲に設定される。
【００８５】
この変更例では、図９のフローチャートが、図１２のフローチャートに変更される。すなわち、図９のフローチャートのステップＳ２０３〜Ｓ２０５が、ステップＳ２２１、Ｓ２２２に置き換えられる。ステップＳ２２１、２２２において、距離ΔＤ０が、補正されることなくそのまま、積算される。そして、積算された総筆記距離Ｄ０が、図１１（ａ）のステップＳ１３１で設定された閾値Ｄｔｈを超えると（Ｓ２２２：ＹＥＳ）、芯２２の交換を促す報知が行われる（Ｓ２０６）。
【００８６】
この変更例によっても、筆圧が筆記距離に加味されてスタイラスペン２０（筆記具）の寿命が判定されるため、スタイラスペン２０の用い方がユーザごとに異なり、これにより筆圧が異なる場合も、スタイラスペン２０の寿命を適正に判定してユーザに報知することができる。
【００８７】
＜他の変更例＞
実施形態２および変更例１、２では、試し書き時に得られた筆圧の平均値（平均筆圧）により、係数または閾値Ｄｔｈを設定したが、平均値に限らず、試し書き時に得られた筆圧の最大値等の他の値を用いて、係数または閾値Ｄｔｈを設定してもよい。
【００８８】
また、上記実施形態１、２および変更例１、２では、芯２２が寿命に到達したと判定された場合に、芯２２の交換を促す報知がなされたが、芯２２が寿命に到達する少し前に、まもなく芯２２が寿命に到達することが報知されてもよい。この場合、上記閾値Ｄｔｈよりもやや小さい閾値（たとえば、閾値Ｄｔｈの８０％程度）と総筆記距離Ｄ１とが比較されて、芯２２が寿命に近づいたことが判定される。
【００８９】
また、上記実施形態１、２および変更例１、２では、スタイラスペン２０に対して芯２２が交換可能であったが、スタイラスペン２０は必ずしも芯２２が交換可能でなくともよい。この場合、上記ステップＳ２０６では、スタイラスペン２０全体の交換を促す報知が行われる。
【００９０】
また、上記実施形態１、２および変更例１、２では、スタイラスペン２０で検出した筆圧が情報端末装置１に送信されることにより、制御部５０において、筆圧が取得されたが、情報端末装置１側で筆圧を検出する構成であってもよい。たとえば、カバー３１の表面に、圧力検出用の透明シートを積層して、スタイラスペン２０の筆圧を検出してもよい。
【００９１】
さらに、上記実施形態では、情報端末装置１に１本のスタイラスペン２０が装着可能であったが、携帯端末装置に複数本のスタイラスペン２０が装着可能であってもよい。この場合も、図６（ｂ）に示すように、スタイラスペン２０ごとに、総補正距離Ｄ１が管理され、寿命の判定が行われる。
【００９２】
また、入力受付部は、必ずしも、電磁誘導方式のタッチパッドでなくともよく、静電容量式のタッチパッド等であってもよい。また、スタイラスペン２０は、蓄電池が着脱可能であってもよく、コイル部２０４以外の通信手段を有していてもよい。
【００９３】
この他、本発明の実施形態は、特許請求の範囲に示された技術的思想の範囲内において、適宜、種々の変更が可能である。
【符号の説明】
【００９４】
１  情報端末装置
２０  スタイラスペン（筆記具）
２１  ボディ
２２  芯
３２  液晶表示部（表示部）
３３  タッチパッド（入力受付部）
５０  制御部
６０  記憶部
６１  寿命判定プログラム
６２  補正係数テーブル
【図１】
2018049412.tif 000003
【図２】
2018049412.tif 000004
【図３】
2018049412.tif 000005
【図４】
2018049412.tif 000006
【図５】
2018049412.tif 000007
【図６】
2018049412.tif 000008
【図７】
2018049412.tif 000009
【図８】
2018049412.tif 000010
【図９】
2018049412.tif 000011
【図１０】
2018049412.tif 000012
【図１１】
2018049412.tif 000013
【図１２】
2018049412.tif 000014